(57)【要約】      （修正有）【課題】吸込ベルトの不都合な速度変化を補償する、循環走行する吸込ベルトを使用したシート状の被印刷物を搬送する装置を提供する。【解決手段】循環走行する吸込ベルト３とその下に位置する吸込ボックス２とを備える、シート状の被印刷物７を搬送する装置に関する。吸込ボックス２の少なくとも一部に更なる切換え可能な吸着開口５が設けられており、吸着開口５により、吸込ベルト３自体を吸着することができることを特徴とする。【選択図】図１
0003204583.tif 000002
【実用新案登録請求の範囲】
【請求項１】
循環走行する吸込ベルト（３）とその下に位置する吸込ボックス（２）とを備え、
前記吸込ベルト（３）および前記吸込ボックス（２）は、シート状の被印刷物（７）を吸着するために、相互に対応する吸着開口（４，５）を有する、シート状の被印刷物（７）を搬送する装置であって、
前記吸込ベルト（３）を吸着するために、前記吸込ボックス（２）の少なくとも一部に更なる切換え可能な吸着開口（５）が設けられており、
前記吸込ベルト（３）は、前記吸込ボックス（２）の前記更なる切換可能な吸着開口（５）の領域に吸着開口（４）を有しないことを特徴とする装置。
【請求項２】
それぞれ１つの第１の吸着開口（５）と１つの第２の吸着開口（５）とが、可動の切換要素（６）を介して相互に接続されている、請求項１記載の装置。
【請求項３】
前記切換要素は、前記吸着開口（５）内で交互に増減する負圧により、第１の吸着開口（５）と第２の吸着開口（５）との間で往復移動させられる、請求項２記載の装置。
【請求項４】
前記更なる切換可能な前記吸着開口（５）は、前記吸込ボックス（２）の吸着領域および引渡領域に配置されている、請求項１から３までのいずれか１項記載の装置。
【請求項５】
前記吸込ベルト（３）により覆われた吸着開口（５）における負圧は、Ｕ１の値を有し、シート（７）により覆われた吸着開口（５）における負圧は、Ｕ２の値を有し、負圧Ｕ１および負圧Ｕ２により形成される、前記吸込ベルト（３）と前記吸込ボックス（２）との間の摩擦の値または前記吸込ベルト（３）とシート（７）との間の摩擦の値は、同じ高さである、請求項１から４までのいずれか１項記載の装置。
【請求項６】
前記吸着開口（５）の接続部は、相互に分離されている、請求項１から５までのいずれか１項記載の装置。
【請求項７】
前記吸着開口（５）の前記接続部は、絞り（１３）によって、相互に分離されている、請求項６記載の装置。
【考案の詳細な説明】
【技術分野】
【０００１】
本考案は、循環走行する吸込ベルトを備えるシート印刷機に使用される。
【背景技術】
【０００２】
シートをフィーダから吸込ベルトに引き渡す瞬間に、突発的に作用する負圧が生じる。この負圧により、吸込ベルトが吸込ボックスに押し付けられ、その押付け、これらの両方の構成要素の間の摩擦を増加させてしまう。これにより惹起される駆動モーメントの変化が、搬送速度の変動の形で現れる。シートを吸込ベルトからデリバリへ引き渡す瞬間にも、押圧力の突発的な減少に基づいて、吸込ベルトのそのような速度変動が生じる。この速度変動の発生は、ちょうど印刷ヘッドの下側に位置するシートを衝撃的に移動させてしまい、搬送ベルトをベースとしたデジタル印刷機では、印刷像に視認可能なストリップが生じてしまうことがある。
【０００３】
独国特許出願公開第３０１７４２０号明細書には、２つのバランス質量体によってカセットのテープ張力を安定させるためのシステムが記載されている。そのシステムでは、２つのテープ巻体が、駆動ローラに対して相対的に、可動に支持された支持体に取り付けられている。テープ巻体は、押付装置により、駆動ローラと接触保持されている。可動の支持体およびこれに対応して配置された巻体の質量慣性モーメントを相殺するために、バランス質量体は、慣性質量が相互に打ち消されるように、支持体と可動に結合されている。
【０００４】
独国特許出願公開第１０２１６３４０号明細書は、線状にまたはほぼ線状に案内される質量体のための衝撃補償装置を含む。その衝突補償装置では、その端部の間で回動可能に支持されたレバーが、その一方の端部で、線状またはほぼ線状に摺動されるべき材料と結合されていて、他方の端部で、補償質量体と結合されているので、補償力は、質量体料の慣性力である。
【先行技術文献】
【特許文献】
【０００５】
【特許文献１】独国特許出願公開第３０１７４２０号明細書
【特許文献２】独国特許出願公開第１０２１６３４０号明細書
【考案の概要】
【考案が解決しようとする課題】
【０００６】
本考案の課題は、先行技術と比べて改善された、吸込ベルトの不都合な速度変化を補償する、循環走行する吸込ベルトを使用したシート状の被印刷物を搬送する装置を提供することである。
【０００７】
この課題は、請求項１の特徴部に記載の構成を有する装置により解決される。
【０００８】
本考案による方法によれば、循環走行する吸込ベルトを備えるシート印刷機に使用される。
【０００９】
本考案は、吸込ベルトに対応する吸込ボックスが、更なる切換可能な吸着開口を有する。この更なる切換可能な吸着開口は、吸込ベルト自体を吸着する働きをする。したがって、吸込ベルトは、この領域で開口を有しない。吸込ベルトの目的に合わせた吸着により、補償摩擦が発生させられ、吸込ベルトと吸込ボックスとの間の摩擦は、シート状の被印刷物（以下にシートと記載される）が吸込ベルトにより受け取られるまたはシートベルトから引き渡されるとき、換言するとシートが置かれるまたは再び取り除かれるときでも一定に保持することができる。したがって、駆動モーメントの変化が阻止される。その他の利点は、一定の入熱である。
【００１０】
本考案の１つの形態によれば、それぞれ１つの第１の吸込開口と１つの第２の吸込開口とが、対偶を成し、可動の切換要素を介して相互に接続されている。
【００１１】
本考案の別の１つの改良形態によれば、切換要素は、吸着開口内で交互に増減する負圧により、第１の吸着開口と第２の吸着開口との間で往復移動させられる。
【００１２】
本考案の格別に好適な形態によれば、更なる切換可能な吸着開口が、吸込ボックスの上流側の吸着領域と下流側の引渡領域とだけに配置されている。というのも、そこにしか、補償しなければならない局所的な摩擦変化が生じ得ないからである。
【００１３】
次の改良形態によれば、吸込ベルトにより覆われた吸着開口における負圧は、Ｕ１の値を有し、これに対してシートにより覆われた吸着開口における負圧は、Ｕ２の値を有する。その際、Ｕ１およびＵ２の値は、それぞれ発生させられる、吸込ベルトと吸込ボックスと間の、またはシートと吸込ボックスとの間の摩擦の値が同一の高さであるように、選択されている。したがって、シートの搬送時に摩擦は一定に保持される。
【００１４】
さらに本考案の意向によれば、吸込ボックスの個々の吸着開口の接続部が分離されており、これにより、負圧の混合が阻止される。
【００１５】
装置の最後の改良形態によれば、吸込ボックスの接続部の分離が絞りを介して行われる。
【００１６】
記載された本考案および記載された本考案の好適な改良形態は、技術的に有意義である場合には相互に組み合わせても、補考案の好適な改良形態を成すものである。
【００１７】
さらなる利点に関して、かつ本考案の好適な態様の構造的および機能的な観点に関して、従属請求項および添付の図面に関する実施の形態の説明が参照される。
【図面の簡単な説明】
【００１８】
【図１】シートを搬送する吸込ベルトの一部と、吸込ベルトの下に位置する、切換可能な吸着開口を有する吸込ボックスとを示す。
【図２】吸込ベルトの吸着領域および引渡領域で、本考案に係る装置を使用した、複数のシートを同時に搬送する吸込ベルトを含むシート印刷機の一部を示す。
【考案を実施するための形態】
【００１９】
本考案を、添付の図面に基づいてさらに詳しく説明する。相互に対応する構成要素および構成部材には、図面において、同一の符号が設けられている。図面をより見やすくするために、縮尺通りの図示はしていない。
【００２０】
図１は、シートを搬送する吸込ベルトの一部と、吸込ベルトの下に位置する、切換可能な吸着開口を有する吸込ボックスとを示している。図１では、１つの吸着開口が、シートにより覆われていて、１つの第２の吸着開口は、吸込ベルトにより覆われている。
【００２１】
図２は、吸込ベルトの吸着領域および引渡領域で、本考案に係る装置を使用した、複数のシートを同時に搬送する吸込ベルトを含むシート印刷機の一部を示している。
【００２２】
シート７は、フィーダ１１において受け取られ、吸込ベルト３に向けて案内される。そこで、シート７は、吸込ベルト４の吸着開口を通じて、吸込ボックス５の吸着開口により吸着され、循環走行する吸込ベルト３に受け渡される。その際、第１の吸着開口５が、まずシート７により覆われる。ここで、負圧Ｕ２がシート７に作用する。吸込ベルト３により覆われた吸着開口５の下には、値Ｕ１を有する負圧が作用する。吸込ボックス５の吸着開口を、シート７により覆われていない吸込ベルト４の吸着開口が通過すると、負圧が形成されない。
【００２３】
シート７により覆われた吸着開口５の下で、負圧Ｕ２が発生する。この負圧Ｕ２は、ばね付勢された切換要素６を引き付け、ひいては吸着されたシート７の領域で負圧Ｕ１を遮断する。
【００２４】
切換要素６は、シート７により覆われていない側で、引き続き負圧Ｕ１を吸込ベルト３と吸込ボックス２との間に作用させることができる。というのも、覆われていない吸込開口５に基づいて、負圧Ｕ１の遮断のために切換要素６を動かす負圧が形成されないからである。
【００２５】
したがって、あらゆる位置で、負圧Ｕ１に関する補償摩擦が有効である、または吸着されたシート７に基づいて負圧Ｕ２に関する摩擦が有効である。
【符号の説明】
【００２６】
１  印刷機
２  吸込ボックス
３  吸込ベルト
４  吸込ベルトの吸着開口
５  吸込ボックスの吸着開口
６  切換要素
７  シート
８  印刷ヘッド
９  吸着領域
１０  引渡領域
１１  フィーダ
１２  デリバリ
１３  絞り
【図１】
0003204583.tif 000003
【図２】
0003204583.tif 000004